(57)【要約】【課題】  前回分データから今回分データへ通知切替えが行われたことを誤通知や故障と勘違いしないで使用できるようにすること。【解決手段】  ＣＰＵ３０６は、歩行検出部３０１から歩行毎に生じる歩行信号を受信して歩行データを測定し、所定時刻が到来する毎に前回の所定時刻から今回の所定時刻までの間に測定した歩行データを前回分の歩行データとして記憶部３０７に記憶する際に、使用者が今回の所定時刻に活動中であると判定した場合には、その時点での歩行データを今回分の歩行データとして扱うことによって表示部１０１は前記今回分の歩行データとして表示し、活動を停止した後にそれまでの歩行データを前回分の歩行データとして保存して、表示部１０１に表示する今回分の歩行データをリセットする。【選択図】  図３
2010262386.tif 000002
【特許請求の範囲】
【請求項１】
歩行データを測定する測定手段と、記憶手段と、所定時刻が到来する毎に前回の所定時刻から今回の所定時刻までの間に前記測定手段が測定した歩行データを前回分の歩行データとして前記記憶手段に記憶する制御手段と、前記今回の所定時刻に使用者が活動中か否かを判定する判定手段と、今回分の歩行データを通知する通知手段とを備え、
前記制御手段は、前記判定手段が前記使用者は前記今回の所定時刻に活動中であると判定した場合、その時点での歩行データを今回分の歩行データとして扱い、前記通知手段は前記今回分の歩行データを通知することを特徴とする歩数計。
【請求項２】
前記制御手段は、前記判定手段が前記使用者は前記所定時刻に活動中であると判定した場合、前記活動が停止するまでの歩行データを前回分歩行データとして前記記憶手段に記憶し、前記通知手段は前記記憶手段に記憶した後の歩行データを今回分の歩行データとして通知することを特徴とする請求項１記載の歩数計。
【請求項３】
前記判定手段が前記所定時刻に前記使用者は活動中であると判定した場合に前記活動が停止するまでの歩行データを前回分と今回分のいずれの歩行データとして保存するかの保存条件を設定する保存条件設定手段を有し、
前記制御手段は前記保存条件設定手段によって設定された保存条件に従って前回分又は今回分として歩行データを前記記憶手段に記憶すると共に、前記通知手段は前記保存条件に従って今回分の歩行データを通知することを特徴とする請求項１又は２記載の歩数計。
【請求項４】
前記通知手段は、前記制御手段によって前回分の歩行データが保存された後に今回分の歩行データを通知開始したとき、前回分の歩行データが保存された旨を報知することを特徴とする請求項１乃至３のいずれか一に記載の歩数計。
【請求項５】
前記通知手段は表示手段によって構成され、今回分の歩行データを点滅表示することによって、前回分の歩行データが保存された旨を報知することを特徴とする請求項４記載の歩数計。
【請求項６】
前記判定手段は、前記所定時刻の前後所定時間内に活動中か否かを判定することを特徴とする請求項１乃至５のいずれか一に記載の歩数計。
【請求項７】
前記所定時刻は日付変更時刻であることを特徴とする請求項１乃至６のいずれか一に記載の歩数計。
【発明の詳細な説明】
【技術分野】
【０００１】
本発明は、使用者の腕や腰等の身体に装着して、あるいは、使用者が携帯するバッグ等に収納して使用し、前記使用者の歩数計測機能を有する歩数計に関する。
【背景技術】
【０００２】
従来から、使用者の歩行に対応する歩行信号を検出して、出発地点から複数の中間地点を経由して目的地点に至る、仮想的な歩行コースの歩行シミュレーションを行う歩行計をはじめとして、使用者の歩数計測機能を有する歩数計が開発されている。
従来の時刻データを持つ歩数計においては、１日分の歩数をカウントして、例えば日付が変わる時に前日のデータを前回分のデータとしてメモリし、日付が変わった時に、表示する歩数カウント値をリセットして今回分のデータとして今日の歩数である「０」を表示し、カウント開始する。このように、一日ごとの歩数をカウントし記憶するのが一般的である（例えば特許文献１参照）。
【０００３】
しかしながら、時刻データは持っているが時刻表示がされていないような小型歩数計の場合、時刻データが間違っていたり（例えば時刻設定がずれている）、夜間日付が変わるころに活動している人にとっては、日付が変わることによって歩数カウント値が今回分のデータである「０」表示になったことを認識できず、歩数計がエラーを起こした、あるいは故障したなどと勘違いしてしまう恐れがあるという問題がある。
【先行技術文献】
【特許文献】
【０００４】
【特許文献１】特開平５−３３２７８３号公報
【発明の概要】
【発明が解決しようとする課題】
【０００５】
本発明は、前記問題に鑑み成されたもので、前回分データから今回分データへ通知切替えが行われたことを誤通知や故障と勘違いしないで使用することができるようにすることを課題としている。
【課題を解決するための手段】
【０００６】
本発明によれば、歩行データを測定する測定手段と、記憶手段と、所定時刻が到来する毎に前回の所定時刻から今回の所定時刻までの間に前記測定手段が測定した歩行データを前回分の歩行データとして前記記憶手段に記憶する制御手段と、前記今回の所定時刻に使用者が活動中か否かを判定する判定手段と、今回分の歩行データを通知する通知手段とを備え、前記制御手段は、前記判定手段が前記使用者は前記今回の所定時刻に活動中であると判定した場合、その時点での歩行データを今回分の歩行データとして扱い、前記通知手段は前記今回分の歩行データを通知することを特徴とする歩数計が提供される。
【０００７】
ここで、前記制御手段は、前記判定手段が前記使用者は前記所定時刻に活動中であると判定した場合、前記活動が停止するまでの歩行データを前回分歩行データとして前記記憶手段に記憶し、前記通知手段は前記記憶手段に記憶した後の歩行データを今回分の歩行データとして通知するように構成してもよい。
また、前記判定手段が前記所定時刻に前記使用者は活動中であると判定した場合、前記活動が停止するまでの歩行データを前回分と今回分のいずれの歩行データとして保存するかの保存条件を設定する保存条件設定手段を有し、前記制御手段は前記保存条件設定手段によって設定された保存条件に従って前回分又は今回分として歩行データを前記記憶手段に記憶すると共に、前記通知手段は前記保存条件に従って今回分の歩行データを通知するように構成してもよい。
【０００８】
また、前記通知手段は、前記制御手段によって前回分の歩行データが保存された後に今回分の歩行データを通知開始したとき、前回分の歩行データが保存された旨を報知するように構成してもよい。
また、前記通知手段は表示手段によって構成され、今回分の歩行データを点滅表示することによって、前回分の歩行データが保存された旨を報知するように構成してもよい。
また、前記判定手段は、前記所定時刻の前後所定時間内に活動中か否かを判定するように構成してもよい。
また、前記所定時刻は日付変更時刻であるように構成してもよい。
【発明の効果】
【０００９】
本発明の歩数計によれば、前回分データから今回分データへ通知切替えが行われたことを誤通知や故障と勘違いしないで使用することが可能になる。
【図面の簡単な説明】
【００１０】
【図１】本発明の実施の形態に係る歩数計の歩行モード時の外観図である。
【図２】本発明の実施の形態に係る歩数計の記録表示モード時の外観図である。
【図３】本発明の実施の形態に係る歩数計のブロック図である。
【図４】本発明の実施の形態における操作ボタンの機能を説明する表である。
【図５】本発明の実施の形態に係る歩数計のフローチャートである。
【図６】本発明の実施の形態に係る歩数計のフローチャートである。
【図７】本発明の実施の形態に係る歩数計のフローチャートである。
【図８】本発明の実施の形態に係る歩数計のフローチャートである。
【図９】本発明の実施の形態に係る歩数計のフローチャートである。
【図１０】本発明の実施の形態に係る歩数計のフローチャートである。
【図１１】本発明の実施の形態に係る歩数計のフローチャートである。
【図１２】本発明の実施の形態に係る歩数計のフローチャートである。
【発明を実施するための形態】
【００１１】
以下、本発明の実施の形態に係る歩数計について説明する。尚、各図において同一部分には同一符号を付している。
図１は、本発明の実施の形態に係る歩数計の外観図で、歩行モードにおける表示部１０１の表示態様を示す図である。
歩数計は、複数（本実施の形態では２つ）の操作ボタンａ、ｂ及び表示部１０１を備えている。また、歩数計は、歩数等の歩行データを測定するモードである歩行モードと、歩数計に記憶されている歩数等の歩行データを表示するモードである記録表示モードの２種類の動作モードを備えている。歩行データとしては、例えば、歩数のデータ、歩行距離のデータ、歩行による消費カロリのデータがある。
【００１２】
図１の歩行モードにおいて、表示部１０１には、歩行モード、記録表示モードを各々表す文字「歩行」、「記録」が動作モード表示１０２として表示されており、現在の動作モードを表す動作モード表示はアンダーライン付きで表示されている。
図１の歩行モードでは、表示の内容（図１の例では、今回の歩数である今日の歩数）を示す内容表示１０３、表示されている内容のデータ（図１の例では現時点における今日の歩数データ「１２３４５」歩）１０４が表示される。
【００１３】
図２は記録表示モードにおける表示部１０１の表示態様を示す図であり、表示部１０１には、歩行モード、記録表示モードを各々表す文字「歩行」、「記録」が動作モード表示１０２として表示されており、現在の動作モードを表す動作モード表示はアンダーライン付きで表示されている。
図２の記録表示モードでは、表示の内容（図２の例では、前回分の歩数である１日前の歩数）を示す内容表示１０３、表示されている内容のデータ（図２の例では１日前の歩数データ「２３４３２」歩）１０４が表示される。
【００１４】
図３は、図１及び図２に示した歩数計のブロック図である。
図３において、歩数計は、歩行を検出する毎に対応する歩行信号を出力する歩行検出部３０１、複数（本実施の形態では２つ）の操作スイッチａ３０２、ｂ３０３、使用者が活動中か否かを判定するためのタイマである活動時間判定用タイマ３０４、歩行データの通知を初期化したことを報知する期間を定める報知用タイマ３０５、中央処理装置（ＣＰＵ）３０６、表示部１０１、ＣＰＵ３０６が実行するプログラムや測定した歩行データ等を記憶する記憶部３０７、使用者が活動中か否かを判定する基準となる活動状態判定基準時間を記憶する活動状態判定基準時間記憶部３０８、所定周波数の信号を発生する発振回路３０９、発振回路３０９からの信号を分周して計時の基準となる時計信号を出力する分周回路３１０を備えている。
【００１５】
操作スイッチａ３０２、ｂ３０３は、各々、図１及び図２に示した操作ボタンａ、ｂによって操作されるスイッチである。
記憶部３０７には、歩行データ中の歩数データとして、現在測定中の今回分歩数である今日の歩数及び過去の歩数（前回分歩数である１日前の歩数、２回前分の歩数である２日前の歩数、３回前分の歩数である３日前の歩数、・・・）が記憶される。また、記憶部３０７には今回分の歩行データを保存する時刻（保存時刻）が予め記憶される。本実施の形態では保存時刻を日にちが変わる時刻である午前０時としており、前記保存時刻を境として、前回（昨日）の歩行データと今回（本日）の歩行データに分けている。活動状態判定基準時間記憶部３０８には、歩行状態か否かを判定するための歩行信号の間隔が活動状態判定基準時間（例えば３０分）として予め記憶される。前記保存時刻や活動状態判定基準時間はスイッチａ３０２又はスイッチｂ３０３によって使用者が設定するように構成してもよい。
【００１６】
活動時間判定用タイマ３０４は歩行検出部３０１からの歩行信号の間隔が前記活動状態判定基準時間を超えたか否かを検出する。
歩行検出部３０１は、使用者の歩行を検出する毎に対応する歩行信号を出力する。
ＣＰＵ３０６は、前記歩行信号を計数することによって歩数を測定して、記憶部３０７に随時記憶する。また、ＣＰＵ３０６は、分周回路３１０からの時計信号に基づいて計時動作を行う。ＣＰＵ３０６は、記憶部３０７に記憶した歩行データ等を、動作モード及び操作ボタンａ、ｂの操作に応じた態様で表示する。
【００１７】
尚、表示部１０１は通知手段を構成し、ＣＰＵ３０６は制御手段を構成し、記憶部３０７及び活動状態判定基準時間記憶部３０８は記憶手段を構成している。歩行検出部３０１及びＣＰＵ３０６は測定手段を構成している。活動時間判定用タイマ及びＣＰＵ３０６は判定手段を構成している。また、操作ボタンａ、ｂは及び操作スイッチａ３０２、ｂ３０３保存条件設定手段を構成し又、操作手段を構成している。歩行検出部３０１は検出手段を構成している。
【００１８】
通知手段は今回分の歩行データを通知することができる。
測定手段は歩行データを測定することができる。判定手段は今回の所定時刻に使用者が活動中か否かを判定することができる。通知手段は今回分の歩行データを通知することができる。制御手段は、所定時刻が到来する毎に前回の所定時刻から今回の所定時刻までの間に前記測定手段が測定した歩行データを前回分の歩行データとして記憶手段に記憶することができ、前記判定手段が前記使用者は前記今回の所定時刻に活動中であると判定した場合、その時点での歩行データを今回分の歩行データとして扱い、前記通知手段は前記今回分の歩行データを通知することができる。
【００１９】
保存条件設定手段は、前記判定手段が前記所定時刻に前記使用者は活動中であると判定した場合にそれ以後の歩行データを前回分と今回分のいずれの歩行データとして保存するかの保存条件を設定することができる。この場合、前記制御手段は前記保存条件設定手段によって設定された保存条件に従って前回分又は今回分として歩行データを前記記憶手段に記憶すると共に、前記通知手段は前記保存条件に従って今回分の歩行データを通知することができる。
【００２０】
図４は、各操作ボタンａ、ｂ（換言すれば操作スイッチａ３０２、ｂ３０３）の機能を説明する表である。
操作ボタンａを操作することによって歩行モードと記録表示モード間のモード切替えを行うことができる。歩行モードにおいて操作ボタンｂを操作することにより、記憶部３０７に記憶された本日測定中の歩行データをリセットすることができる。記録表示モードにおいて操作ボタンｂを操作することにより、記憶部３０７に記憶した過去の歩行データ中のいずれかを切り替え選択して表示データとして表示部１０１に表示することができる。
【００２１】
図５は本実施の形態に係る歩数計のフローチャートであり、動作モードの判定処理を示すフローチャートである。
図６及び図７は本実施の形態に係る歩数計のフローチャートであり、歩行モードの処理を示すフローチャートである。
図８は本実施の形態に係る歩数計のフローチャートであり、記録表示モードの処理を示すフローチャートである。
図９は本実施の形態に係る歩数計のフローチャートであり、保存時刻到来時の処理を示すフローチャートである。
図１０は本実施の形態に係る歩数計のフローチャートであり、活動中でない場合の第１の形態の処理を示すフローチャートである。
図１１は本実施の形態に係る歩数計のフローチャートであり、活動中でない場合の第２の形態の処理を示すフローチャートである。
図１２は本実施の形態に係る歩数計のフローチャートであり、活動状態を判定する処理を示すフローチャートである。
【００２２】
以下、図１〜図１２を用いて、本発明の実施の形態の動作を説明する。
図５において、ＣＰＵ３０６は歩行モードと判定した場合（ステップＳ５０１）、分周回路３１０からの時計信号に基づいて計時動作を行うと共に、歩行検出部３０１からの歩行信号を検出開始する（ステップＳ５０２）。
次にＣＰＵ３０６は、操作ボタンａが操作されたと判定した場合には（ステップＳ５０３）、記録表示モードへ切り替え（図４参照）、表示するデータの番号を初期化して記憶部３０７に記憶している過去の歩行データ中の最新の歩行データを表示部１０１に表示した後、処理ステップＳ５０９に移行する（ステップＳ５０８）。
【００２３】
ＣＰＵ３０６は、操作ボタンａが操作されずに操作ボタンｂが操作されたと判定した場合には（ステップＳ５０３、Ｓ５０４）、今回の歩行データである今日の歩行データを記憶部３０７から消去（歩行モードにおいて今日の歩行データをリセット処理）した後、処理ステップＳ５０９に移行する（ステップＳ５０７）。
ＣＰＵ３０６は、操作ボタンａ、ｂともに操作されていないと判定した場合（ステップＳ５０３、Ｓ５０４）、歩行検出部３０１から歩行信号が入力される毎に記憶部３０７に記憶している今日の歩数に１歩加算して再び記憶部３０７に記憶した後、処理ステップＳ５０９に移行する（ステップＳ５０６）。表示部３０１には１歩毎に加算された今日現在の歩数が表示される。
【００２４】
ＣＰＵ３０６は、処理ステップＳ５０５において歩行検出部３０１が使用者の歩行を検出していない、即ち、歩行検出部３０１から歩行信号が入力されていないと判定すると、今日の歩行データを保存する保存時刻が到来したか否かを判定する（ステップＳ５０９）。
ＣＰＵ３０６は、前記保存時刻が到来しておらず且つ初期化予約状態にないと判定すると（ステップＳ５０９、Ｓ５１０）、図１２の活動状態判定処理を行う（ステップＳ５１１）。ここで、初期化予約状態とは、使用者が活動中は、表示部１０１に表示する今日の歩行データを初期化せずに、活動しなくなったときに初期化を行うように予約を行う状態である。
【００２５】
図１２において、ＣＰＵ３０６は、前回活動状態判定処理を行ったときの歩行データ（例えば歩数）と現在の歩行データ（例えば歩数）とを比較し（ステップＳ１２１）、変化がないと判定した場合、活動時間判定用タイマ３０４が活動状態判定基準時間記憶部３０８に記憶した基準時間計時していないと判定したときには処理を終了する（ステップＳ１２３）。
ＣＰＵ３０６は、処理ステップＳ１２３において活動時間判定用タイマ３０４が前記基準時間計時したと判定したときには使用者の活動状況を非活動状態と判定し、記憶部３０７に記憶している活動状況を表すフラグを非活動状態に設定して処理を終了する（ステップＳ１２４）。
【００２６】
ＣＰＵ３０６は、処理ステップＳ１２２において変化があると判定した場合、即ち、使用者が活動中と判定した場合には、まだ今日分の歩行が継続していると処理して、現在（今日）の歩行データを前回（昨日）分の歩行データとして記憶部３０７に記憶する（ステップＳ１２５）。次にＣＰＵ３０６は、活動時間判定用タイマ３０４を初期化することによって前記活動状態判定基準時間をセットして計時動作を再スタートさせた後（ステップＳ１２６）、前記フラグを活動状態に設定して処理を終了する（ステップＳ１２７）。
【００２７】
ＣＰＵ３０６は、前記活動状態判定処理（ステップＳ５１１）の後、報知用タイマ３０５が所定時間計時していない場合には直ちに処理ステップＳ５１４に移行し、報知用タイマ３０５が所定時間計時した場合には歩数初期化した旨の報知を解除した後に処理ステップＳ５１４に移行する（ステップＳ５１２、Ｓ５１３）。
次にＣＰＵ３０６は、操作ボタンａが操作されたと判定した場合（ステップＳ５１４）、歩行モードへ切り替えて、現在測定中の今日の歩行データを表示部１０１に表示した後（ステップＳ５１７、図１参照）、処理ステップＳ５０９へ移行する。
【００２８】
次にＣＰＵ３０６は、処理ステップＳ５１４において操作ボタンａが操作されていないと判定した場合、操作ボタンｂが操作されたと判定したときは（ステップＳ５１５）、操作ボタンｂによって選択されたデータ番号の歩行データを表示部１０１に表示した後（ステップＳ５１６）、処理ステップＳ５０９へ移行する。
次にＣＰＵ３０６は、処理ステップＳ５１５において操作ボタンｂが操作されていないと判定した場合には直ちに処理ステップＳ５０９へ移行する。
【００２９】
一方、ＣＰＵ３０６は、処理ステップＳ５０９において、今日の歩行データを保存する保存時刻が到来したと判定すると、記憶部３０７に記憶した過去の歩行データを１日ずつ繰り下げ（ステップＳ５１８）、記憶部３０７の記憶領域のうち、今日の歩行データを一日前の歩行データを記憶していた領域に保存する（ステップＳ５１９）。
ＣＰＵ３０６は、活動時間判定用タイマ３０４が歩行信号の間隔は前記活動状態判定基準時間を超えないことを検出したことによって、使用者が活動中と判定した場合（ステップＳ５２０）、初期化予約状態フラグをセットすることによって今日の歩行データを初期化せずに初期化の予約を行う初期化予約状態に設定した後、処理ステップＳ５１１に移行する（ステップＳ５２３）。
【００３０】
ＣＰＵ３０６は、処理ステップＳ５２０において活動時間判定用タイマ３０４が歩行信号の間隔が前記活動状態判定基準時間を超えたことを検出したことによって、使用者が非活動中と判定した場合には、記憶部３０７に記憶している今日の歩行データを初期化して（ステップＳ５２１）、報知用タイマ３０５に計時動作を開始させると共に今日の歩行データを初期化した旨の報知を開始した後、処理ステップＳ５１１に移行する（ステップＳ５２２）。
【００３１】
これにより、報知用タイマ３０５が計時動作を開始し、報知用タイマ３０５が計時動作を行っている所定時間の間は、表示部３０７に表示された歩行データが初期化された旨報知される。ＣＰＵ３０６は、表示部３０７に表示している歩行データ等の表示を点滅させることによって歩行データが初期化されたことを報知する。尚、別途設けたスピーカから報知音を発生する等の方法によって報知するように構成することも可能である。
【００３２】
ＣＰＵ３０６は、処理ステップＳ５１０において初期化予約状態にあると判定した場合、図１０の処理を行う。即ち、ＣＰＵ３０６は、処理ステップＳ５１０において初期化予約状態にあると判定した場合、使用者が活動中か否かを判定して（処理ステップＳ１０１）、活動中と判定したときは処理ステップＳ５１１に移行し、活動中でないと判定したときは今日の歩行データから昨日分の歩行データを差し引いて、初期化予約状態を解除した後（ステップＳ１０２、Ｓ１０３）、処理ステップＳ５１１に移行する。
【００３３】
尚、ＣＰＵ３０６は、処理ステップＳ５１０において初期化予約状態にあると判定した場合、図１１の処理を行うように構成してもよい。即ち図１１において、ＣＰＵ３０６は、処理ステップＳ５１０において初期化予約状態にあると判定した場合、使用者が活動中か否かを判定して（処理ステップＳ１１１）、活動中と判定したときは処理ステップＳ５１１に移行し、使用者が活動中でないと判定したときは現在の歩行データを一日前の歩行データを記憶していた領域に保存し、今日の歩行データを初期化して初期化予約状態を解除した後（ステップＳ１１２、Ｓ１１３、Ｓ１１４）、処理ステップＳ５１１に移行する。
【００３４】
以上述べたように、本実施の形態に係る歩数計によれば、ＣＰＵ３０６は歩行検出部３０１から歩行毎に生じる歩行信号を受信して歩行データを測定し、所定時刻が到来する毎に前回の所定時刻から今回の所定時刻までの間に測定した歩行データを前回分の歩行データとして記憶部３０７に記憶する際に、使用者が今回の所定時刻に活動中であると判定した場合には、その時点での歩行データを今回分の歩行データとして扱うことによって表示部１０１は前記今回分の歩行データとして表示し、活動を停止した後にそれまでの歩行データを前回分の歩行データとして保存して、表示部１０１に表示する今回分の歩行データをリセットするように構成している。また、日付が変更される前もしくは後の一定時間内に使用者が活動中か否かに応じて、歩行データを前日分データとして直ちに保存して歩行データをリセット、あるいは、当日分データとして取り敢えず計数しながら表示しておいて後で歩行データを前日分データとして保存するようにしている。
【００３５】
したがって、前日分データから当日分データへ通知切替えが行われたことを誤通知や故障と勘違いしないで使用することが可能になる。
また、使用者が活動中には表示部の素数データ表示を０に戻さないため、使用者が前日と当日のデータ表示が切り替わったことを認識しやすくなり、誤表示・故障と勘違いしないで使用することができる。
【００３６】
尚、歩数が日付変更時に検出されている場合、その時点の歩行データを前日分・当日分のどちらのデータとして保存するかを選択可能に構成し、設定された結果でデータを保存するように構成することができる。この場合、ＣＰＵ３０６は、日付変更時刻到来時に使用者が活動中と判定したとき、表示部１０１に歩行データを前日分と当日分のどちらのデータとして保存するかの選択を促す表示を行い、使用者が操作ボタンａ、ｂを用いて選択するように構成してもよい。当日のデータを選択した場合は、表示部１０１は前日の歩数を引いた歩数表示に変わり、ＣＰＵ３０６は次の日付変更時刻まで継続して計数する。
また、予め、使用者が操作ボタンａ、ｂを用いて、前日分と当日分のどちらのデータとして保存するかの選択を設定して記憶部３０７に記憶するように構成してもよい。この場合、ＣＰＵ３０６は、日付変更時刻到来時に使用者が活動中と判定したとき、記憶部３０７の設定に基づいて歩行データを前日分又は当日分のデータとして保存する。
【００３７】
また、前記実施の形態では歩行データの保存時刻を日付変更時刻（午前０時）に設定したが、使用者の活動状況等に応じて、保存時刻を適宜選定することが可能である。例えば、使用者にとっての所定時間（例えば１日）分の歩行データを前回分（過去分）、今回分として保存するようにすることができる。その場合、保存時刻に保存した歩行データが前回分の歩行データとなり、現在の歩行データが今回分の歩行データとなる。
また、活動中か否かを判定する時刻は保存時刻の前後所定時間内の時刻であるように構成してもよい。
また、歩数計として、腕や腰に装着して使用する形式の歩数計や、使用者が携帯するバッグ等に収納して使用する形式の歩数計等に利用することが可能である。
【産業上の利用可能性】
【００３８】
腕や腰に装着して使用する形式の歩数計や、使用者が携帯するバッグ等に収納して使用する形式の歩数計等に利用することが可能である。
【符号の説明】
【００３９】
１０１・・・表示部
１０２・・・動作モード表示
１０３・・・内容表示
１０４・・・データ表示
１０５・・・地点名
１０６・・・到着日
３０１・・・歩行検出部
３０４・・・活動時間判定用タイマ
３０５・・・報知用タイマ
３０６・・・ＣＰＵ
３０７・・・記憶部
３０８・・・活動状態判定基準時間記憶部
３０９・・・発振回路
３１０・・・分周回路
ａ３０２、ｂ３０３・・・操作スイッチ
ａ、ｂ・・・操作ボタン
【図１】
2010262386.tif 000003
【図２】
2010262386.tif 000004
【図３】
2010262386.tif 000005
【図４】
2010262386.tif 000006
【図５】
2010262386.tif 000007
【図６】
2010262386.tif 000008
【図７】
2010262386.tif 000009
【図８】
2010262386.tif 000010
【図９】
2010262386.tif 000011
【図１０】
2010262386.tif 000012
【図１１】
2010262386.tif 000013
【図１２】
2010262386.tif 000014